(57)【要約】【課題】駐車場の貸借を適切に実現して駐車場の有効利用を図るとともに、車両の運転者の利便にも資する駐車支援システムを提供する。【解決手段】車両に搭載されるナビゲーション装置２からの駐車許可要請（Ｓ３２０）をサーバ３が受信すると、サーバ３は、駐車許可要請に合致する駐車場の情報を、貸与可能な駐車場の情報が駐車場の貸与者からの情報に基づき登録されたデータベースから検索して（Ｓ５２０）、ナビゲーション装置２に送信する（Ｓ５３０）。また、その後、その送信対象の駐車場のうち、運転者により選択された（Ｓ３４０）駐車場について、駐車を許可するか否かを確認し（Ｓ５５０〜Ｓ５９０）、許可する旨或いは許可しない旨の情報をナビゲーション装置２に送信する。さらに、ナビゲーション装置２は、駐車が許可された駐車場の情報を表示するとともに、その駐車場への経路案内を実行する（Ｓ３６０）。【選択図】図９
2008123044.tif 000002
【特許請求の範囲】
【請求項１】
駐車場所の貸与者に使用される貸与者通信端末と、車両に搭載される車載通信装置と、前記貸与者通信端末及び前記車載通信装置と通信可能に接続され、前記駐車場所の情報を前記車載通信装置に送信するサーバとを備えた駐車支援システムであって、
前記貸与者通信端末は、
貸与可能な駐車場所の情報（以下、貸与可能駐車場所情報という）が使用者により入力されると、該入力された貸与可能駐車場所情報を前記サーバに送信する貸与情報送信手段を備え、
前記車載通信装置は、
駐車を希望する旨及び希望する駐車場所についての情報（以下、駐車要請情報という）が使用者により入力されると、該入力された駐車要請情報を前記サーバに送信する駐車要請情報送信手段を備え、
前記サーバは
駐車場所の情報を記憶するデータベースと、
前記貸与者通信端末からの前記貸与可能駐車場所情報を受信すると、該貸与可能駐車場所情報を前記データベースに登録する登録手段と、
前記車載通信装置からの前記駐車要請情報を受信すると、その駐車要請情報に合致する駐車場所の情報を前記データベースから検索するとともに、検索して取得できた駐車場所の情報（以下、合致駐車場所情報という）を前記車載通信装置に送信する合致情報送信手段とを備え、
さらに、前記車載通信装置は、前記サーバからの前記合致駐車場所情報を受信すると、該合致駐車場所情報を使用者に報知する報知手段を備えていることを特徴とする駐車支援システム。
【請求項２】
請求項１に記載の駐車支援システムにおいて、
前記車載通信装置は、
前記報知手段により報知された合致駐車場所情報が表す駐車場所から、所望の駐車場所を使用者に選択させるための選択手段と、
前記選択手段を介して選択された駐車場所の情報（以下、希望駐車場所情報という）を前記サーバに送信する希望情報送信手段とを備え、
前記サーバは、
前記車載通信装置からの前記希望駐車場所情報を受信すると、該希望駐車場所情報が表す駐車場所についての駐車の可否を判断して、駐車可能と判断すると駐車を許可する旨の情報を前記車載通信装置に送信し、駐車不可と判断すると駐車を許可しない旨の情報を前記車載通信装置に送信する駐車可否確認手段を備え、
さらに、前記報知手段は、前記サーバからの前記駐車を許可する旨の情報或いは前記駐車を許可しない旨の情報を受信すると、その受信した情報を使用者に報知するようになっていることを特徴とする駐車支援システム。
【請求項３】
請求項２に記載の駐車支援システムにおいて、
前記登録手段は、前記データベースに登録されている駐車場所のそれぞれについて、使用中か否かを各駐車場所の情報に対応付けてそのデータベースに記録するようになっており、
前記駐車可否確認手段は、前記データベースを参照し、判断対象の駐車場所が使用中でなければ、その判断対象の駐車場所は駐車可能と判断し、判断対象の駐車場所が使用中であれば、その判断対象の駐車場所は駐車不可と判断するようになっていることを特徴とする駐車支援システム。
【請求項４】
請求項３に記載の駐車支援システムにおいて、
前記車載通信装置は複数あり、該複数の車載通信装置はそれぞれ、
車両の現在位置を検出する位置検出手段と、
車両の車速を検出する車速検出手段と、
前記位置検出手段により検出される車両の現在位置が、駐車が許可された駐車場所の位置に一致し、かつ、前記車速検出手段により検出される車速が０となった際に、駐車が開始されたと判断して、その駐車場所の情報とともに駐車を開始した旨の情報（以下、駐車開始情報という）を前記サーバに送信し、その後、前記車速検出手段により検出される車速が０より大きくなった際に、駐車が終了したと判断して、その駐車場所の情報とともに駐車を終了した旨の情報（以下、駐車終了情報という）を前記サーバに送信する駐車状態検出手段とを備え、
前記登録手段は、前記車載通信装置から前記駐車開始情報を駐車場所の情報とともに受信すると、その受信した情報が表す駐車場所について、使用中である旨を前記データベースに記録するとともに、その後、前記車載通信装置からその使用中である駐車場所の情報とともに前記駐車終了情報を受信すると、その受信した情報が表す使用中の駐車場所について、使用中である旨の記録を取消すようになっていることを特徴とする駐車支援システム。
【請求項５】
請求項４に記載の駐車支援システムにおいて、
前記サーバは、前記車載通信装置から前記駐車開始情報を駐車場所の情報とともに受信すると、その受信した情報が表す駐車場所の貸与者が使用する貸与者通信端末に、その受信した駐車開始情報及び駐車場所の情報を送信し、その後、送信元の車載通信装置から前記駐車終了情報を駐車場所の情報とともに受信すると、その貸与者通信端末に、その受信した駐車終了情報及び駐車場所の情報を送信するようになっていることを特徴とする駐車支援システム。
【請求項６】
請求項２に記載の駐車支援システムにおいて、
前記登録手段は、前記データベースに登録されている駐車場所のそれぞれについて、その駐車場所への駐車を許可されている車両の情報を各駐車場所の情報に対応付けてそのデータベースに登録するようになっており、
前記駐車要請情報には、送信元の車両の情報が含まれており、
前記駐車可否確認手段は、前記データベースを参照するとともに駐車要請情報に含まれる車両の情報に基づき、その駐車要請情報の送信元の車両が、その車両が送信した希望駐車場所情報が表す駐車場所への駐車が許可されている車両であれば、その車両及び駐車場所について駐車可能と判断するようになっていることを特徴とする駐車支援システム。
【請求項７】
請求項６に記載の駐車支援システムにおいて、
前記駐車可否確認手段は、前記駐車要請情報の送信元の車両が、その車両が送信した希望駐車場所情報が表す駐車場所への駐車が許可されている車両でない場合、その希望駐車場所情報が表す駐車場所の貸与者が使用する貸与者通信端末に駐車許可の確認を求める情報（以下、駐車許可確認情報という）を送信するようになっているとともに、前記貸与者通信端末から、前記駐車許可確認情報に対する応答として駐車を許可する旨の情報を受信した場合には駐車可能と判断し、駐車を許可しない旨の情報を受信した場合には駐車不可と判断するようになっていることを特徴とする駐車支援システム。
【請求項８】
請求項７に記載の駐車支援システムにおいて、
前記駐車許可確認情報には、駐車場所の位置、駐車開始予定時刻、駐車期間、駐車目的、対象車両の車種、及び対象車両のナンバーの少なくとも何れかに関する情報が含まれているとともに、
前記貸与者通信端末は、
前記駐車許可確認情報を使用者に報知する確認情報報知手段と、
前記確認情報報知手段により前記サーバから受信した駐車許可確認情報が報知された際、駐車を許可する旨の情報が使用者により入力された場合には、その駐車を許可する旨の情報を応答として前記サーバに送信し、駐車を許可しない旨の情報が使用者により入力された場合には、その駐車を許可しない旨の情報を応答として前記サーバに送信する駐車許可応答手段とを備えていることを特徴とする駐車支援システム。
【請求項９】
請求項７又は請求項８に記載の駐車支援システムにおいて、
前記駐車可否確認手段は、前記貸与者通信端末から前記駐車許可確認情報に対する応答が所定時間受信できない場合には、駐車不可と判断するようになっていることを特徴とする駐車支援システム。
【請求項１０】
請求項６ないし請求項９の何れか１項に記載の駐車支援システムにおいて、
前記登録手段は、前記データベースに登録されている駐車場所のそれぞれについて、使用中か否かを各駐車場所の情報に対応付けてそのデータベースに記録するようになっており、
前記駐車可否確認手段は、前記データベースを参照し、判断対象の駐車場所が使用中であれば、判断対象の車両がその駐車場所への駐車が許可されているか否かにかかわらず、その判断対象の車両及び駐車場所について駐車不可と判断するようになっていることを特徴とする駐車支援システム。
【請求項１１】
請求項６ないし請求項１０の何れか１項に記載の駐車支援システムにおいて、
前記車載通信装置は、
車両の現在位置を検出する位置検出手段と、
車両の車速を検出する車速検出手段と、
前記位置検出手段により検出される車両の現在位置が、駐車が許可された駐車場所に一致し、かつ、前記車速検出手段により検出される車速が０となった際に、駐車が開始されたと判断して、その駐車場所の情報とともに駐車を開始した旨の情報（以下、駐車開始情報という）を前記サーバに送信し、その後、前記車速検出手段により検出される車速が０より大きくなった際に、駐車が終了したと判断して、その駐車場所の情報とともに駐車を終了した旨の情報（以下、駐車終了情報という）を前記サーバに送信する駐車状態検出手段とを備え、
前記サーバは、前記車載通信装置から前記駐車開始情報を駐車場所の情報とともに受信すると、その受信した情報が表す駐車場所の貸与者が使用する貸与者通信端末に、その受信した駐車開始情報及び駐車場所の情報を送信し、その後、送信元の車載通信装置から前記駐車終了情報を駐車場所の情報とともに受信すると、その貸与者通信端末に、その受信した駐車終了情報及び駐車場所の情報を送信するようになっていることを特徴とする駐車支援システム。
【請求項１２】
請求項４又は請求項５又は請求項１１に記載の駐車支援システムにおいて、
前記駐車要請情報には、希望する駐車場所についての情報として、目的地と駐車を希望するエリアとの少なくとも何れかに関する情報が含まれており、
前記車載通信装置は、使用者によりその駐車要請情報が入力された際、前記位置検出手段により検出される車両の現在位置から前記目的地或いは駐車を希望するエリアまでの距離或いは道のりを算出するとともに、車両がその算出した距離或いは道のりを進む時間を、車両が前記車速検出手段により検出される車速で進むことを前提として算出することで、車両が前記目的地或いは駐車を希望するエリアに到着する予定時刻を算出する到着予定時刻算出手段を備えるとともに、前記駐車要請情報送信手段は、前記到着予定時刻算出手段により算出された予定時刻の情報を、前記駐車要請情報の１つとして前記サーバに送信するようになっていることを特徴とする駐車支援システム。
【請求項１３】
請求項４又は請求項５又は請求項１１又は請求項１２に記載の駐車支援システムにおいて、
前記サーバは、前記車載通信装置から、前記駐車開始情報を受信した際及び前記駐車終了情報を受信した際の少なくとも何れかにおいて、その車載通信装置が搭載された車両についての課金情報を、その車載通信装置に送信するようになっていることを特徴とする駐車支援システム。
【請求項１４】
請求項１３に記載の駐車支援システムにおいて、
前記車載通信装置は、ＥＴＣ（Ｅｌｅｃｔｏｒｏｎｉｃ  Ｔｏｌｌ  Ｃｏｌｌｅｃｔｉｏｎ）車載機としての機能を備えており、前記課金情報を、ＥＴＣシステムにて課金されるように該ＥＴＣシステムにおける道路上の通信装置に送信するようになっていることを特徴とする駐車支援システム。
【請求項１５】
請求項２ないし請求項１４の何れか１項に記載の駐車支援システムにおいて、
前記合致駐車場所情報には、駐車場所の位置に関する情報が少なくとも含まれており、
前記車載通信装置は、前記駐車可否確認手段により駐車が許可された駐車場所への経路案内を実行する経路案内手段を備えていることを特徴とする駐車支援システム。
【請求項１６】
請求項６ないし請求項１５の何れか１項に記載の駐車支援システムにおいて、
前記サーバは、
前記貸与者通信端末から、使用者の入力に基づく駐車場所についての情報及び車両の情報を受信した際、その貸与者通信端末からの指令に基づき、その車両について、前記駐車可否確認手段によりその駐車場所への駐車が許可されている車両であるか否かを判断する不正駐車判定手段と、
前記不正駐車判定手段によりその駐車場所への駐車が許可されている車両でないと判定されると、不正の旨を報知する不正報知手段とを備えていることを特徴とする駐車支援システム。
【請求項１７】
請求項１ないし請求項１６の何れか１項に記載の駐車支援システムにおいて、
前記駐車要請情報には、希望する駐車場所についての情報として、目的地と駐車を希望するエリアとの少なくとも何れかに関する情報が含まれているとともに、加えて、駐車開始予定時刻、駐車期間、駐車目的、希望の駐車料金、車種、車両ナンバー、及び駐車終了後の目的地の少なくとも何れかに関する情報が含まれていることを特徴とする駐車支援システム。
【請求項１８】
請求項１ないし請求項１７の何れか１項に記載の駐車支援システムにおいて、
前記合致駐車場所情報には、駐車場所の位置に関する情報が含まれているとともに、加えて、駐車場所の属する駐車施設、その駐車施設の空き状況、駐車可能な日時、駐車料金、駐車可能な車種、駐車場所の周辺の施設、及び駐車場所の周辺の風景の少なくとも何れかに関する情報が含まれていることを特徴とする駐車支援システム。
【請求項１９】
請求項１ないし請求項１８の何れか１項に記載の駐車支援システムにおいて、
前記貸与可能駐車場所情報には、駐車場所の位置に関する情報が含まれているとともに、加えて、駐車場所の属する施設、駐車可能台数、駐車可能な日時、駐車料金、駐車可能な車種、優先する車両或いは車種、駐車を許可する車両或いは車種、駐車場所の周辺の施設、及び駐車場所の周辺の風景の少なくとも何れかに関する情報が含まれていることを特徴とする駐車支援システム。
【請求項２０】
請求項１ないし請求項１９の何れか１項に記載の駐車支援システムにおいて、
前記車載通信装置は複数あるとともに、該車載通信装置から送信される前記駐車要請情報のそれぞれには、優先順位を判断するための情報が含まれており、
前記合致情報送信手段は、前記複数の車載通信装置からそれぞれその駐車要請情報を受信した際、複数の駐車要請情報のいずれにも合致する駐車場所の情報が前記データベースから検索できた場合に、そのいずれにも合致する駐車場所の情報について、前記優先順位を判断するための情報に基づいて送信先を決定し、該決定した送信先へその情報を送信するようになっていることを特徴とする駐車支援システム。
【発明の詳細な説明】
【技術分野】
【０００１】
本発明は、駐車領域の有効活用を支援するための技術に関するものである。
【背景技術】
【０００２】
例えば自動車で外出した場合、駐車場（１台分或いは複数台分の駐車スペースを有するものを駐車場と記載する）探しに困ることが多々ある。駐車場付きの施設へ出かける場合は問題ないが、例えば街の中心部へ出かける場合や住宅街等へ出かける場合であって、その目的地に駐車場がない、或いは余分な駐車スペースがないといった場合に困ることとなる。目的地周辺に、都合良く駐車場がある、或いは余分な駐車スペースがあるとは限らないからである。また、目的地周辺に駐車場等があるとしても、運転者には、なるべく目的地に近い所に駐車したいとか、駐車料金のかからない所或いは安い所に駐車したいという心理が当然に働くため、駐車場探し（選び）に時間がかかってしまうことがよくある。
【０００３】
ところで、一見駐車場或いは駐車スペースがないと思われるようなところでも、たいていの場合、物理的に駐車スペースがないわけではない。例えば月極駐車場では、２４時間常に駐車されているわけではなく、時間帯によっては空いている場合があるし、また、隣家など近所の住人が所有（あるいは使用）している駐車場が場合によっては空いていることもある。特に、自動車が通勤に使用されている場合には、平日の昼間はずっと空いていることとなる。しかし、他人の駐車場であるため、無断で駐車することはできない。勿論、駐車場の使用者（所有者）から駐車許可が得られれば、その空いている駐車スペースに駐車することはできるが、面識がない場合には難しい。また、面識があったとしても、頻繁に許可を求めることは気がひけるし、必ずしも連絡がとれるとは限らない。
【０００４】
尚、駐車場を有効利用するための技術は、例えば特許文献１に記載されている。特許文献１の技術について説明すると、まず、貸駐車場（例えば月極）において、出入口ゲート付近にカードリーダライタを設置し、契約者は、出庫時に、次回入庫する予定時刻をカードリーダライタに入力しておくようにする。そして、これにより、各駐車スペースの空き時間帯が分かるようになるため、その空き時間帯においては、その空いた駐車スペースを時間貸しのスペースとして利用するようにする、というものである。
【０００５】
また、従来、特に街中心部において、駐車場の位置や空き状況を電光掲示板に表示することが広く行われている。これによれば、運転者は、その電光掲示板を見ることで、駐車可能な駐車場を容易に見つけることができるようになる。
【特許文献１】特許２８７３７２３号公報
【発明の開示】
【発明が解決しようとする課題】
【０００６】
しかしながら、上述の特許文献１に開示されている技術は、複数の駐車スペースを有した管理の行き届いた駐車場を前提としたものであって、駐車場にカードリーダライタが設置されている必要がある。駐車場の有効利用を図るために、このような機器を、個人宅の駐車場などを含めた各種駐車場に設置しなくてはならないとすると、非常に実現が困難である。
【０００７】
また、上述の電光掲示板の例では、ほとんどの場合有料の駐車場の情報を表示することを前提としているし、また、駐車場の位置や空き状況は分かるかもしれないが、どの駐車場が目的地に近いのかということは分かりにくいため、運転者にとって必ずしも嬉しいものではない。
【０００８】
さらには、特許文献１の技術の場合、その場所に行かないと駐車場が空いているか否かが判断できず、また、電光掲示板の例の場合は、電光掲示板を見ないと駐車場の位置や空き情報は分からないため、これらの場合、せっかく出向いたのに駐車場が空いていないという事態も考えられる。
【０００９】
以上のように、駐車場が空いているにもかかわらず、駐車場の貸借人双方の意志の疎通は容易ではなく、このため駐車場の貸借が適正に実現されず、駐車場の有効利用は図られていなかった。また、運転者が、その運転者にとって最良の駐車場を利用することができるとは限らない、という問題もあった。
【００１０】
本発明はこうした問題に鑑みなされたもので、駐車場（駐車スペース）の貸借を適切に実現して駐車場（駐車スペース）の有効利用を図るとともに、運転者の利便にも資する駐車支援システムを提供することを目的とする。
【課題を解決するための手段】
【００１１】
かかる問題を解決するためになされた請求項１に記載の発明は、駐車場所の貸与者に使用される貸与者通信端末と、車両に搭載される車載通信装置と、貸与者通信端末及び車載通信装置と通信可能に接続され、駐車場所の情報を車載通信装置に送信するサーバとを備えた駐車支援システムである。
【００１２】
まず、貸与者通信端末は、貸与可能な駐車場所の情報（以下、貸与可能駐車場所情報という）が使用者により入力されると、その入力された貸与可能駐車場所情報をサーバに送信する貸与情報送信手段を備えている。
【００１３】
一方、サーバは、駐車場所の情報を記憶するデータベースと、登録手段とを備えており、この登録手段は、貸与者通信端末からの貸与可能駐車場所情報を受信すると、その貸与可能駐車場所情報をデータベースに登録する。
【００１４】
また、車載通信装置は、駐車を希望する旨及び希望する駐車場所についての情報（以下、駐車要請情報という）が使用者により入力されると、その入力された駐車要請情報をサーバに送信する駐車要請情報送信手段を備えている。
【００１５】
サーバは、合致情報送信手段を備えており、この合致情報送信手段は、車載通信装置からの駐車要請情報を受信すると、その駐車要請情報に合致する駐車場所の情報をデータベースから検索するとともに、検索して取得できた駐車場所の情報（以下、合致駐車場所情報という）を車載通信装置に送信する。
【００１６】
ここで、通信装置は、報知手段も備えており、この報知手段は、サーバからの合致駐車場所情報を受信すると、その合致駐車場所情報を使用者に報知するようになっている。
このような請求項１の駐車支援システムによれば、車両の運転者は、駐車したい駐車場所についての情報を入力すればその希望に合致した駐車場所の情報が得られるため、その運転者にとって都合の良い所望の駐車場所を利用できるようになる。尚、駐車を希望する駐車場所についての情報としては、少なくとも駐車したい場所（位置、住所）の情報が考えられる。
【００１７】
一方、サーバのデータベースに登録された駐車場所が利用（貸与）され得るのであるが、貸与可能な駐車場所の情報は、貸与者通信端末からサーバに送信するだけでそのサーバのデータベースに登録される。つまり、貸与者は簡単な登録作業を行うだけで駐車場所を貸与できるようになり、このため貸与可能な駐車場所の登録及び利用（貸与）の促進を図ることができる。また、駐車場所を予め登録しておくことで、その駐車場所の円滑かつ有効な利用が実現できる。
【００１８】
このように、本請求項１の駐車支援システムによれば、駐車場所の貸借を適切に実現して駐車場所の有効利用を図るとともに、駐車場所を利用する運転者の利便にも資することができる。
【００１９】
ところで、請求項１のシステムにおいて、駐車場所の貸借をより適切に実現するためには、請求項２のように構成すればよい。
請求項２のシステムは、請求項１のシステムにおいて、車載通信装置は、報知手段により報知された合致駐車場所情報が表す駐車場所から、所望の駐車場所を使用者に選択させるための選択手段と、選択手段を介して選択された駐車場所の情報（以下、希望駐車場所情報という）をサーバに送信する希望情報送信手段とを備えている。
【００２０】
一方、サーバは、車載通信装置からの希望駐車場所情報を受信すると、その希望駐車場所情報が表す駐車場所についての駐車の可否を判断して、駐車可能と判断すると駐車を許可する旨の情報を車載通信装置に送信し、駐車不可と判断すると駐車を許可しない旨の情報を車載通信装置に送信する駐車可否確認手段を備えている。
【００２１】
さらに、報知手段は、サーバからの駐車を許可する旨の情報或いは駐車を許可しない旨の情報を受信すると、その受信した情報を使用者に報知するようになっている。
このような請求項２のシステムによれば、例えば合致駐車場所情報が表す駐車場所が複数ある場合、運転者は、その中から最も望ましい駐車場所を選択することができるため、運転者の要望をより適切に満たすことができる。尚、合致駐車場所情報が表す駐車場所が１つの場合であっても、選択手段を介した選択により、使用者にその駐車場所の情報の確認を促すことができるという効果がある。
【００２２】
また、運転者は、その運転者が選択した駐車場所について、駐車の可否（駐車の許可或いは不許可）が分かるため、駐車場所に到着したにもかかわらず、例えばその駐車場所に既に他の車両が駐車されていて自分の車両を駐車することができない、というような不都合が生じることを防止できる。つまり、駐車場所の貸借をより適切かつ確実に実現することができるようになる。
【００２３】
ところで、希望駐車場所情報が表す駐車場所についての駐車の可否は、請求項３に記載のように、その駐車場所が使用中か否かで判断するようにすればよい。
つまり、請求項３のシステムは、請求項２のシステムにおいて、登録手段は、データベースに登録されている駐車場所のそれぞれについて、使用中か否かを各駐車場所の情報に対応付けてそのデータベースに記録するようになっている。そして、駐車可否確認手段は、データベースを参照し、判断対象の駐車場所が使用中でなければ、その判断対象の駐車場所は駐車可能と判断し、判断対象の駐車場所が使用中であれば、その判断対象の駐車場所は駐車不可と判断するようになっている。
【００２４】
このような請求項３のシステムによれば、同一の駐車場所に同時に複数の車両が駐車を許可される、というような問題が生じることを防止することができる。このため、駐車場所の貸借をより適切に実現できる。
【００２５】
また、請求項３のシステムにおいて、駐車場所の使用中の旨の記録或いはその記録の取消しを実現するには、具体的に、請求項４のように構成すればよい。
請求項４のシステムは、請求項３のシステムにおいて、車載通信装置は複数あり、該複数の車載通信装置はそれぞれ、車両の現在位置を検出する位置検出手段と、車両の車速を検出する車速検出手段と、駐車状態検出手段とを備えている。
【００２６】
駐車状態検出手段は、位置検出手段により検出される車両の現在位置が、駐車が許可された駐車場所の位置に一致し、かつ、車速検出手段により検出される車速が０となった際に、駐車が開始されたと判断して、その駐車場所の情報とともに駐車を開始した旨の情報（以下、駐車開始情報という）をサーバに送信する。また、その後、車速検出手段により検出される車速が０より大きくなった際に、駐車が終了したと判断して、その駐車場所の情報とともに駐車を終了した旨の情報（以下、駐車終了情報という）をサーバに送信する。
【００２７】
そして、登録手段は、車載通信装置から駐車開始情報を駐車場所の情報とともに受信すると、その受信した情報が表す駐車場所について、使用中である旨をデータベースに記録する。また、その後、車載通信装置からその使用中である駐車場所の情報とともに駐車終了情報を受信すると、その受信した情報が表す使用中の駐車場所について、使用中である旨の記録を取消すようになっている。
【００２８】
このような請求項４のシステムによれば、駐車状態検出手段により駐車が開始されたこと及び駐車が終了したことが自動的に検出されるとともに、駐車が開始されれば、サーバのデータベースに、その駐車対象の駐車場所について使用中の旨が自動的に記録され、駐車が終了すれば、使用中の旨が自動的に取り消されるようにすることができるため、例えばシステムの管理者が意図しなくても、同一の駐車場所に同時に複数の車両が駐車を許可される、という前述のような問題が生じることを防止することができる。このため、駐車場所の貸借をより適切に実現できるようになる。
【００２９】
ところで、駐車場所の貸与者が、貸与対象の駐車場所の状況（つまり、使用中か否か）について把握できるようにすることが好ましい。例えば自らが使用したい場合等も考えられるからである。
【００３０】
そこで、請求項５のシステムは、請求項４のシステムにおいて、サーバは、車載通信装置から駐車開始情報を駐車場所の情報とともに受信すると、その受信した情報が表す駐車場所の貸与者が使用する貸与者通信端末に、その受信した駐車開始情報及び駐車場所の情報を送信する。また、その後、送信元の車載通信装置から駐車終了情報を駐車場所の情報とともに受信すると、その貸与者通信端末に、その受信した駐車終了情報及び駐車場所の情報を送信するようになっている。
【００３１】
このような請求項５のシステムによれば、駐車場所の貸与者は、貸与者通信端末を介して、自らが貸与する所定の駐車場所に車両が駐車されたこと、及び駐車が終了したことが分かるため、貸与対象の駐車場所についての状況を把握できるようになる。
【００３２】
ここで、希望駐車場所情報が表す駐車場所についての駐車の可否の判断は、請求項６のような構成で実現されるようにしてもよい。
つまり、請求項６のシステムは、請求項２のシステムにおいて、登録手段は、データベースに登録されている駐車場所のそれぞれについて、その駐車場所への駐車を許可されている車両の情報を各駐車場所の情報に対応付けてそのデータベースに登録するようになっている。また、駐車要請情報には、送信元の車両の情報が含まれている。
【００３３】
そして、駐車可否確認手段は、データベースを参照するとともに駐車要請情報に含まれる車両の情報に基づき、その駐車要請情報の送信元の車両が、その車両が送信した希望駐車場所情報が表す駐車場所への駐車が許可されている車両であれば、その車両及び駐車場所について駐車可能と判断するようになっている。
【００３４】
このような請求項６のシステムでは、例えば駐車場所の貸与者が、貸与者通信端末を介して駐車を許可してもよい車両の情報をサーバに送信し、予め登録しておくようにすることができる。このため、貸与者の要望にも合致するような適切な駐車場所の貸借を実現することができる。また、予め登録しておくことで、円滑な貸借を実現できる。
【００３５】
次に、請求項６のシステムにおいて、駐車要請情報の送信元の車両が、その車両が送信した希望駐車場所情報が表す駐車場所への駐車が許可されている車両でない場合には、請求項７のように構成するとよい。
【００３６】
請求項７のシステムは、請求項６のシステムにおいて、駐車可否確認手段は、駐車要請情報の送信元の車両が、その車両が送信した希望駐車場所情報が表す駐車場所への駐車が許可されている車両でない場合、その希望駐車場所情報が表す駐車場所の貸与者が使用する貸与者通信端末に駐車許可の確認を求める情報（以下、駐車許可確認情報という）を送信するようになっている。そして、貸与者通信端末から、駐車許可確認情報に対する応答として駐車を許可する旨の情報を受信した場合には駐車可能と判断し、駐車を許可しない旨の情報を受信した場合には駐車不可と判断するようになっている。
【００３７】
この請求項７のシステムによれば、駐車場所の貸与者に駐車場所を貸与してもよいかどうかを確認するようになっているため、貸与者の要望に合致する適切な駐車場所の貸借を実現することができるようになる。
【００３８】
また、請求項７のシステムでは、請求項８に記載のように構成することが好ましい。
請求項８のシステムは、請求項７のシステムにおいて、駐車許可確認情報には、駐車場所の位置、駐車開始予定時刻、駐車期間、駐車目的、対象車両の車種、及び対象車両のナンバーの少なくとも何れかに関する情報が含まれている。
【００３９】
そして、貸与者通信端末は、駐車許可確認情報を使用者に報知する確認情報報知手段を備えている。また、確認情報報知手段によりサーバから受信した駐車許可確認情報が報知された際、駐車を許可する旨の情報が使用者により入力された場合には、その駐車を許可する旨の情報を応答としてサーバに送信し、駐車を許可しない旨の情報が使用者により入力された場合には、その駐車を許可しない旨の情報を応答としてサーバに送信する駐車許可応答手段を備えている。
【００４０】
この請求項８のシステムでは、駐車許可確認情報が貸与者通信端末の使用者（駐車場所の貸与者）に報知されるため、貸与者は、その報知される情報に基づいて駐車を許可するか否かを判断できるようになる。具体的に、例えば駐車目的が「受験，試験」、「診察，通院」といったような内容であって、積極的に駐車を許可したほうが良いというような場合に駐車を許可する、というようなことが考えられ、これによれば、公益的にも好ましい。
【００４１】
ところで、請求項７，８のシステムにおいて、貸与者通信端末がサーバから駐車許可確認情報を受信した際、必ずしもその貸与者通信端末の使用者が端末をすぐに操作できるとは限らない。例えば、使用者が、仕事中、食事中、睡眠中というような場合もある。
【００４２】
そこで、請求項９のシステムは、請求項７，８のシステムにおいて、駐車可否確認手段は、貸与者通信端末から駐車許可確認情報に対する応答が所定時間受信できない場合には、駐車不可と判断するようになっている。
【００４３】
この請求項９のシステムによれば、貸与者通信端末からの応答が受信できないために駐車の可否の判断がなされず、車両の運転者に駐車の許可或いは不許可の情報が報知されない、というような不都合が生じることを防止することができる。このため、駐車場所の貸借がより適切に実現されるようになる。
【００４４】
また、請求項６〜９のシステムでは、請求項１０に記載のように、駐車の可否の判断で駐車場所が使用中か否かも考慮されるように構成することが好ましい。
つまり、請求項１０のシステムでは、登録手段は、データベースに登録されている駐車場所のそれぞれについて、使用中か否かを各駐車場所の情報に対応付けてそのデータベースに記録するようになっている。
【００４５】
そして、駐車可否確認手段は、データベースを参照し、判断対象の駐車場所が使用中であれば、判断対象の車両がその駐車場所への駐車が許可されているか否かにかかわらず、その判断対象の車両及び駐車場所について駐車不可と判断するようになっている。
【００４６】
この請求項１０のシステムによれば、駐車場所が使用中であるにもかかわらず、その駐車場所について駐車を許可する車両の情報がデータベースに登録されていることにより、その許可する旨が登録されている車両がその使用中の駐車場所に駐車可能と判断されてしまう、というような不都合が生じることを防止することができる。つまり、駐車場所の貸借が適切に実現されるようにすることができる。
【００４７】
また、請求項６〜１０のシステムでは、駐車場所の貸与者が、貸与対象の駐車場所の状況（つまり、使用中か否か）について把握できるようにすることが好ましい。
そこで、請求項１１のシステムでは、まず、車載通信装置は、車両の現在位置を検出する位置検出手段と、車両の車速を検出する車速検出手段と、駐車状態検出手段とを備えている。尚、この駐車状態検出手段は、請求項４の駐車状態検出手段と同じ機能を有しており、駐車開始情報及び駐車終了情報をサーバに送信する。
【００４８】
サーバは、車載通信装置から駐車開始情報を駐車場所の情報とともに受信すると、その受信した情報が表す駐車場所の貸与者が使用する貸与者通信端末に、その受信した駐車開始情報及び駐車場所の情報を送信し、その後、送信元の車載通信装置から駐車終了情報を駐車場所の情報とともに受信すると、その貸与者通信端末に、その受信した駐車終了情報及び駐車場所の情報を送信するようになっている。
【００４９】
このような請求項１１のシステムによれば、貸与者が駐車場所の状況を把握できるようになるという請求項５について述べた効果と同じ効果を得ることができる。しかも、駐車が開始されたこと及び駐車が終了したことが、車載通信装置において自動的に検出されるようにすることができるため、その効果がより確実に得られる。
【００５０】
ところで、車両が目的地或いは駐車を希望するエリアに到着する予定時刻（つまり、駐車開始予定時刻）が、データベースから合致する駐車場所を検索する際に用いられることが考えられる。例えば、駐車開始予定時刻に駐車可能な駐車場を検索する場合である。
【００５１】
そこで、請求項１２のシステムでは、請求項４，５，１１のシステムにおいて、駐車要請情報には、希望する駐車場所についての情報として、目的地と駐車を希望するエリアとの少なくとも何れかに関する情報が含まれており、車載通信装置は、使用者によりその駐車要請情報が入力された際、位置検出手段により検出される車両の現在位置から目的地或いは駐車を希望するエリアまでの距離或いは道のりを算出するとともに、車両がその算出した距離或いは道のりを進む時間を、車両が車速検出手段により検出される車速で進むことを前提として算出することで、車両が目的地或いは駐車を希望するエリアに到着する予定時刻を算出する到着予定時刻算出手段を備えている。さらに、駐車要請情報送信手段は、到着予定時刻算出手段により算出された予定時刻の情報を、駐車要請情報の１つとしてサーバに送信するようになっている。
【００５２】
この請求項１２のシステムでは、到着予定時刻が自動的に算出され、駐車要請情報の１つとしてサーバに送信されるため、運転者が到着予定時刻（つまり、駐車開始予定時刻）を入力しなくてもよくなり便利である。
【００５３】
ところで、駐車料金が発生する場合には、その駐車料金の情報が運転者、つまり車載通信装置に送信されるようにすることが好ましい。
そこで、請求項１３のシステムは、請求項４，５，１１，１２のシステムにおいて、サーバは、車載通信装置から、駐車開始情報を受信した際及び駐車終了情報を受信した際の少なくとも何れかにおいて、その車載通信装置が搭載された車両についての課金情報を、その車載通信装置に送信するようになっている。
【００５４】
例えば、駐車料金が駐車期間により異なる場合には、サーバは、駐車が終了した際（駐車終了情報を受信した際）に、駐車期間を算出するとともにその算出した駐車期間に相当する課金情報を車載通信装置に送信するようにすることが考えられる。また、例えば、駐車料金が駐車期間にかかわらず一律であるような場合には、サーバは、駐車が開始された際（駐車開始情報を受信した際）及び駐車が終了した際の少なくとも何れかにおいて、課金情報を送信するようにすればよい。これによれば、運転者は駐車料金が分かるようになるため安心である。
【００５５】
さらに、駐車料金の精算は、より簡単に行えることが好ましい。
そこで、請求項１４のシステムは、請求項１３のシステムにおいて、車載通信装置は、ＥＴＣ（Ｅｌｅｃｔｏｒｏｎｉｃ  Ｔｏｌｌ  Ｃｏｌｌｅｃｔｉｏｎ）車載機としての機能を備えており、課金情報を、ＥＴＣシステムにて課金されるように該ＥＴＣシステムにおける道路上の通信装置に送信するようになっている。
【００５６】
このような請求項１４のシステムによれば、ＥＴＣシステムを利用して駐車料金を簡単に精算できるようになり、非常に便利である。
次に、請求項１５のシステムは、請求項２〜１４のシステムにおいて、合致駐車場所情報には、駐車場所の位置に関する情報が少なくとも含まれており、車載通信装置は、駐車可否確認手段により駐車が許可された駐車場所への経路案内を実行する経路案内手段を備えている。
【００５７】
このような請求項１５のシステムによれば、駐車が許可された駐車場所の位置を運転者が把握しなくても、経路案内手段により、その駐車場所への経路案内が実現されるため、運転者にとって非常に便利である。つまり、運転者は迷うことなく駐車場所へ到着できるようになり、運転者の利便に資することができる。
【００５８】
次に、請求項１６のシステムは、請求項６〜１５のシステムにおいて、サーバは、貸与者通信端末から、使用者の入力に基づく駐車場所についての情報及び車両の情報を受信した際、その貸与者通信端末からの指令に基づき、その車両について、駐車可否確認手段によりその駐車場所への駐車が許可されている車両であるか否かを判断する不正駐車判定手段と、不正駐車判定手段によりその駐車場所への駐車が許可されている車両でないと判定されると、不正の旨を報知する不正報知手段を備えている。
【００５９】
尚、不正報知手段としては、不正の旨をサーバの周囲に報知したり、貸与者通信端末や車載通信装置に不正の旨の情報を送信する構成が考えられる。さらに、貸与者通信端末や車載通信装置以外の他の外部機器に、不正の旨の情報を送信するようにしてもよい。
【００６０】
この請求項１６のシステムによれば、例えば貸与者通信端末の使用者が、不正駐車の疑いのある車両の情報を駐車場所の情報とともにサーバに送信し、サーバにおいて不正と確認されればその旨が報知されるため、不正を有効に取り締まることができるようになる。よって、駐車場所の利用が阻害されないようにして、有効利用を図ることができる。
【００６１】
次に、請求項１７のシステムでは、請求項１〜１６のシステムにおいて、駐車要請情報には、希望する駐車場所についての情報として、目的地と駐車を希望するエリアとの少なくとも何れかに関する情報が含まれているとともに、加えて、駐車開始予定時刻、駐車期間、駐車目的、希望の駐車料金、車種、車両ナンバー、及び駐車終了後の目的地の少なくとも何れかに関する情報が含まれている。
【００６２】
この場合、そのような各情報が駐車場所のそれぞれについてデータベースに登録されていることを前提とすれば、運転者の希望により合致する駐車場所の情報を運転者に提供できるようになる。
【００６３】
また、請求項１８のシステムでは、請求項１〜１７のシステムにおいて、合致駐車場所情報には、駐車場所の位置に関する情報が含まれているとともに、加えて、駐車場所の属する駐車施設、その駐車施設の空き状況、駐車可能な日時、駐車料金、駐車可能な車種、駐車場所の周辺の施設、及び駐車場所の周辺の風景の少なくとも何れかに関する情報が含まれている。
【００６４】
具体的に、運転者は、各情報を以下の例のように利用することができる。
駐車場所の属する駐車施設の情報として、「屋根有り」，「屋根無し」というような情報があれば、例えば雨の日は「屋根有り」の駐車場所を選択したり、また、駐車技術に自信のない場合には、駐車施設の空き状況に基づき空きの多い駐車場所を選択したり、他には、例えば駐車場所の周辺の施設の情報に基づき周辺に商業施設の多い駐車場所を選択する、というような例が考えられる。
【００６５】
次に、請求項１９のシステムは、請求項１〜１８のシステムにおいて、貸与可能駐車場所情報には、駐車場所の位置に関する情報が含まれているとともに、加えて、駐車場所の属する施設、駐車可能台数、駐車可能な日時、駐車料金、駐車可能な車種、優先する車両或いは車種、駐車を許可する車両或いは車種、駐車場所の周辺の施設、及び駐車場所の周辺の風景の少なくとも何れかに関する情報が含まれている。
【００６６】
この場合、貸与者通信端末の使用者（駐車場所の貸与者）が、所望の情報を選択して入力する（つまり、サーバに登録する）ようにすることができる。これによれば、貸与者は、例えば駐車料金が安い場合や駐車可能台数が多い場合など、有利な情報は積極的に登録するようにでき、これにより駐車場所の利用促進を図ることができる。また、貸与者の利便にも資する。
【００６７】
ところで、例えば、個人所有の駐車場所の場合に身内に優先して貸与したいという要望があったり、店舗等が所有する駐車場所の場合に業者に優先して貸与したいという要望があることが想定される。
【００６８】
そこで、請求項２０のシステムは、請求項１〜１９のシステムにおいて、車載通信装置は複数あるとともに、該車載通信装置から送信される駐車要請情報のそれぞれには、優先順位を判断するための情報が含まれており、合致情報送信手段は、複数の車載通信装置からそれぞれその駐車要請情報を受信した際、複数の駐車要請情報のいずれにも合致する駐車場所の情報がデータベースから検索できた場合に、そのいずれにも合致する駐車場所の情報について、優先順位を判断するための情報に基づいて送信先を決定し、該決定した送信先へその情報を送信するようになっている。
【００６９】
尚、優先順位を判断するための情報としては、例えば車種、車両のナンバー、駐車目的等がある。車種や車両のナンバーから、身内の車両かどうかといったことや、業者の車両かどうかといったようなことが分かる。また、例えば駐車目的について、「受験，試験」、「診察，通院」といったような駐車目的の車両を優先させることが考えられる。
【００７０】
このような請求項２０のシステムによれば、貸与者の要望にも応えられるとともに、より望ましい貸借が実現できる。
【発明を実施するための最良の形態】
【００７１】
以下に、本発明の実施形態を図面に基づき説明する。
まず、図１は、本実施形態の駐車支援システム１の構成図である。
図１の駐車支援システム１は、貸与対象の駐車場の情報を車両側へ提供することで駐車場の有効利用を図るためのものであり、車両に搭載されるナビゲーション装置２と、駐車場の情報を管理，提供するためのサーバ３と、駐車場の貸与者に使用される通信端末４と、ナビゲーション装置２、サーバ３、及び通信端末４を通信可能に接続するための通信回線網５とから構成される。尚、情報管理センターは、サーバ３の設置場所である。
【００７２】
また、以下、１台分或いは複数台分の駐車スペースを有するものを駐車場と言うものとする。その駐車場としては、時間貸しの駐車場、月極駐車場、コンビニ等各種店舗の駐車場、個人宅の駐車場など、様々なものが考えられる。
【００７３】
ナビゲーション装置２は、車両の現在位置を検出する位置検出部１２と、車両の速度を検出する車速検出部１４と、使用者（例えば運転者）が各種情報を入力するための入力部１６と、地図データを記憶する地図データ記憶部１８と、各種情報を記憶するためのメモリ部２０と、地図表示画面やＴＶ画面等の各種表示を行うための表示装置２２と、各種のガイド音声等を出力するための音声出力装置２４と、通信回線網５を介して外部の機器と通信を行うための通信部２６と、上述した位置検出部１２，車速検出部１４，入力部１６，地図データ記憶部１８，メモリ部２０，表示装置２２，音声出力装置２４，及び通信部２６を制御する制御部１０とを備えている。
【００７４】
位置検出部１２は、ＧＰＳ用の人工衛星からの送信電波をＧＰＳアンテナを介して受信し、車両の位置，方位等を検出するＧＰＳ受信機１２ａと、車両に加えられる回転運動の大きさを検出するジャイロスコープ１２ｂと、車両の前後方向の加速度等から走行した距離を検出するための距離センサ１２ｃと、地磁気から進行方位を検出するための地磁気センサ１２ｄとを備えている。
【００７５】
入力部１６としては、表示装置２２と一体に構成され、表示画面上に設置されるタッチパネル及び表示装置２２の周囲に設けられたメカニカルなキースイッチ等が用いられる。
表示装置２２は、カラー表示装置であり、液晶ディスプレイ，プラズマディスプレイ，ＣＲＴなどがあるが、そのいずれを用いてもよい。表示装置２２の表示画面には、位置検出部１２にて検出された車両の現在位置と地図データ記憶部１８から読み出された地図データとから特定された現在地を示すマーク、目的地までの誘導経路、名称、目印、各種施設のマーク等の付加データとが重ねて表示される。また、施設のガイド等も表示できる。
【００７６】
音声出力装置２４は、地図データ記憶部１８より読み出された施設のガイドや各種案内の音声や、通信部２６を介して取得された情報の読み上げ音声等を出力することができる。
【００７７】
通信部２６は、サーバ３及び通信端末４との通信回線網５を介した通信を実現する。また、例えば図示しないラジオアンテナを介してＦＭ放送信号を受信したり、道路近傍に配置されたＶＩＣＳ（道路交通情報システム）サービス用の固定局から送信される電波ビーコン信号及び光ビーコン信号などを受信する。
【００７８】
制御部１０は、ＣＰＵ，ＲＯＭ，ＲＡＭ，Ｉ／Ｏ及びこれらの構成を接続するバス等からなる周知のマイクロコンピュータを中心に構成されている。そして、例えば、位置検出部１２からの各検出信号に基づき、座標及び進行方向の組として表される車両の現在位置を算出する。また、地図データ記憶部１８から読み込んだ現在位置付近の地図や、入力部１６の操作によって指示された範囲の地図等を表示装置２２に表示する地図表示処理を実行する。また、地図データ記憶部１８に記憶された地点データに基づき、入力部１６の操作に従って目的地を選択し、現在位置からその目的地までの最適な経路を自動的に求める経路計算を行って経路案内を行う経路案内処理を実行する。
【００７９】
情報管理センターに設置されるサーバ３は、管理用コンピュータ３０と、データベース３２とから構成される。管理用コンピュータ３０は、ＣＰＵ，ＲＯＭ，ＲＡＭ，ハードディスク（ＨＤＤ），Ｉ／Ｏ及びこれらの構成を接続するバス等を備えた周知のコンピュータである。尚、管理用コンピュータ３０には、図示はしないが、各種情報を表示するための表示装置や、各種情報を入力するための入力装置が接続されている。
【００８０】
データベース３２は、例えば図２に示すように、駐車場の識別情報（ＩＤ），位置、料金，種類，条件，優先情報，許可情報，貸与可能台数，貸与可能日時，案内補足情報，貸与者ＩＤ，利用状況，借用者ＩＤなどが登録項目として設定されたものである。
【００８１】
駐車場ＩＤについては、貸与対象の駐車場をユニークに識別できればよいので、存在する地域に関係なくシリアルナンバーを付けても良いし、あるいは地域コード＋その地域内でのシリアルナンバーを付けても良い。
【００８２】
位置に関しては、緯度経度のように地点をピンポイントで示す情報を採用することが考えられるが、例えばマップコード（登録商標）のように所定エリアを示す情報であってもよい。なお、個人宅であれば単純に駐車場の緯度経度などの地理的情報だけでもよいが、例えば集合住宅で駐車場に多数の駐車スペースが存在する場合には、駐車スペースを識別する情報（例えば番号あるいは名前など）まで含めた方がよい。また、個人宅の場合であっても、単に緯度経度などの地理的情報だけではなく貸与者の名前も含めておけば、借用者としては表札などを手がかりにその駐車場を容易に探すことができ、便利である。
【００８３】
料金については、一般の有料駐車場において採用しているような、時間当たりの料金（例えば１００円／時間）を情報として持つことが考えられる。
また、種類は、貸与対象の駐車場が個人所有のものなのか一般駐車場なのかを区別するための情報である。本実施形態では、駐車場の提供を役務（サービス）とする事業者の駐車場だけでなく、個人所有の駐車場も貸与対象にするものであるため、この区別が分かるようにする。この場合の「個人所有」とは、その駐車場の不動産的な意味で保有することだけでなく、賃貸であっても使用権を占有する場合も含める意図である。つまり、本来的には自分が占有権を所有する駐車場であることを意味する。
【００８４】
条件とは、例えば駐車スペースのサイズ等に基づく制限や駐車場タイプなど、主に駐車場の物理的な観点からの条件である。具体的に、駐車スペースが比較的狭く、大型車は駐車できない場合には例えば「５ナンバー以下」、高さ制限がある場合には例えば「高さ１．５ｍ以下」、立体駐車場である場合はその旨、地面が舗装されているのか未舗装なのか、などが考えられる。
【００８５】
優先情報は、駐車場を優先的に貸与する車両に関する情報であり、優先させる車種、車両のナンバー、駐車目的等を登録しておく。例えば、個人所有の駐車場について、身内が所有する車両のナンバーを登録しておけば、その身内の車両が優先的に利用できるようになる。また、店舗等所有の駐車場について、店舗に出入りする業者の業務用車両のナンバー等を登録しておけば、その業者が優先的に利用できるようになる。
【００８６】
許可情報は、駐車を許可する車両に関する情報である。駐車を許可する車両を事前に登録し、その登録された車両については、無条件に駐車を許可するという趣旨で、登録項目として設けられている。
【００８７】
貸与可能台数は、貸与対象の駐車場に駐車することのできる車両の台数である。尚、車両１台分の駐車スペース毎に駐車場ＩＤが付され、駐車スペース毎に登録がされているような場合であっても、「１（台）」と登録するようにすることが好ましい。
【００８８】
貸与可能日時は、貸与対象の駐車場を貸与してもよい日時、期間の情報である。
案内補足情報には、機器操作方法に関する情報や案内情報等が含まれる。以下、それぞれ説明する。
【００８９】
まず、機器操作方法に関する情報についてであるが、貸与対象の駐車場の形態によっては、そのまま単に車両を駐車できるような構造になっておらず、例えばシャッターが存在したり、立体駐車場であるため、何らかの機器操作が必要になる場合もある。貸与する側はそのような機器操作方法は熟知しているが、初めて借用する側にとっては、どのように操作してよいか分からず、駐車場まで到達しながら、その後の対処に困る場合も想定される。そこで、例えばシャッターの開け方（及び閉め方）や、例えば２段式の立体駐車場の上部に駐車する場合に、どのようにして上部駐車スペースを地上に降ろすか、など、機器操作方法に関する情報を案内補足情報として含めておく。
【００９０】
次に、案内情報は、駐車場をより詳細に案内（紹介）するための情報であり、駐車場周辺の風景、駐車場の施設、及び団地等における駐車場の位置等に関する情報等が含まれている。
【００９１】
駐車場周辺の風景、駐車場の施設に関する情報は、借用者がそれらを参考にして所望の駐車場を選択できるようにすることを目的として登録される。
また、貸与対象の駐車場は、例えば団地等内の駐車場の場合も考えられる。このような駐車場の場合、例えば団地等付近の公道まではナビゲーション機能により経路案内が可能であるが、団地等内の道路や走行路については地図データにて対応しておらず、経路案内されないことが多い。そのため、団地等までは到着できても、その団地等内へ進入した後、目的の駐車場までスムーズにいけない事態も生じ得る。そこで、このような団地等内の駐車場についての位置情報等を記憶しておくことで、そのような事態が生じることを防止することができる。
【００９２】
貸与者ＩＤは、別途登録されている貸与者リスト中の貸与者に関する情報とのマッチングを図るための情報である。貸与者リストには、貸与者ＩＤに対応して、例えば貸与者の名前，住所，電話番号，料金決済のための口座番号などが記憶されている。したがって、データベース３２中の貸与者ＩＤに基づいて貸与者リストを検索すれば、貸与者に関する各種情報を得ることができる。
【００９３】
利用状況は、貸与対象の駐車場が現在利用可能なのか否かを示すものである。具体的には、「借用不可」、「借用中」、「借用可」の３種類程度の分類にすることが考えられる。借用不可とは、上述した貸与可能期間以外であるため、元々貸与者が貸与を希望していない期間であるため借用できない状態であることを示す。また、借用中とは、貸与可能期間内であるが、既に他の人が借用中であるため現時点では借用できない状態であることを示す。また、借用可とは、貸与可能期間内であり、且つ他の人も借用中でないため借用できる状態であることを示す。
【００９４】
借用者ＩＤは、別途登録されている借用者リスト中の借用者に関する情報とのマッチングを図るための情報である。借用者リストには、借用者ＩＤに対応して、例えば借用者の名前，住所，電話番号，料金決済のための口座番号などが記憶されている。したがって、データベース３２中の借用者ＩＤに基づいて借用者リストを検索すれば、借用者に関する各種情報を得ることができる。
【００９５】
なお、上述した駐車場ＩＤ，位置、料金，種類，条件，優先情報，許可情報，貸与可能台数，貸与可能日時，案内補足情報，貸与者ＩＤ，利用状況，借用者ＩＤの内、料金，種類，条件，優先情報，許可情報，貸与可能台数，貸与可能日時，及び案内補足情報については、駐車場の貸与者により通信端末４を介して任意に登録される情報である。また、その通信端末４を介して適宜更新が可能である。尚、サーバ３の図示しない入力装置を操作することによっても、登録や更新をすることができる。この場合、貸与者が、電話、メール、或いは郵送等により、管理情報センターに登録情報や更新情報を連絡するというような形態が考えられる。
【００９６】
次に、通信端末４（図１参照）は、駐車場の貸与者に使用されるものであり、ＣＰＵ，ＲＯＭ，ＲＡＭ，Ｉ／Ｏ及びこれらの構成を接続するバス等を備えた図示しない周知のマイクロコンピュータを備えている。また、情報を表示するための液晶表示パネル４ａと、情報を入力するための入力部４ｂとを備えている。そして、この通信端末４は、無線により、通信回線網５を介してサーバ３やナビゲーション装置２と通信可能に構成されている。尚、通信端末４としては携帯電話等を用いることができる。
【００９７】
次に、本実施形態の駐車支援システム１における動作を、図３〜図９のフローチャート及びシーケンス図を用いて説明する。
まず、図３は、貸与対象の駐車場を前述のデータベース３２に登録するために通信端末４において実行される（具体的に、通信端末４のＣＰＵが実行する）登録申請処理の流れを表すフローチャートである。この登録申請処理は、通信端末４において定期的に実行される。
【００９８】
まず、Ｓ１１０にて、使用者（貸与者）の入力に基づき、登録の申請があるか否かを判定する。登録の申請がなければ、そのまま当該処理を終了する。尚、使用者は、貸与する駐車場を登録する際、通信端末４の入力部４ｂを介して、上述したような登録項目に関する情報（以下、登録情報と記載する）及び登録を申請する旨の情報（以下、単に登録申請とも記載する）を入力する。
【００９９】
Ｓ１１０にて登録申請があると判定すると（つまり、使用者により、登録情報及び登録申請が入力された場合）、Ｓ１２０へ移行し、使用者により入力された登録情報及び登録申請をサーバ３に送信する。
【０１００】
次にＳ１３０に進み、後述する図４のＳ２３０でサーバ３から送信される登録確認の情報を受信したか否か、つまり、登録の確認ができたか否かを判断し、確認ができたと判断すれば（Ｓ１３０：ＹＥＳ）、当該処理を終了する。尚、登録確認の情報は、液晶表示パネル４ａに表示される。また、確認ができない場合（Ｓ１３０：ＮＯ）、再びＳ１３０の処理を実行する。
【０１０１】
次に、図４は、通信端末４からの登録情報を登録するためにサーバ３において実行される（具体的に、サーバ３のＣＰＵが実行する）登録処理の流れを表すフローチャートである。この登録処理は、サーバ３において定期的に実行される。
【０１０２】
まず、Ｓ２１０にて、登録申請（及び登録情報）を受信したか否かを判定する。この登録申請（及び登録情報）は、前述したように、通信端末４のＣＰＵがＳ１２０の処理で送信するものである。
【０１０３】
Ｓ２１０で登録申請（及び登録情報）を受信したと判定すると（Ｓ２１０：ＹＥＳ）、Ｓ２２０へ移行し、受信した登録情報をデータベース３２に登録する。
次にＳ２３０に進み、登録が完了した旨の登録確認を通信端末４に送信する。そしてその後、当該処理を終了する。
【０１０４】
ここで、図５は、駐車場の情報をデータベース３２に登録する登録動作を示すシーケンス図であり、前述の図３及び図４の処理により実現されるものである。
通信端末４の使用者（貸与者）により、登録申請及び登録情報が入力されると、その登録申請及び登録情報がサーバ３に送信される（Ｓ１２０）。
【０１０５】
サーバ３は、登録申請（及び登録情報）を受信すると（Ｓ２１０：申請有）、その受信した登録情報をデータベース３２に登録して（Ｓ２２０）、登録確認を通信端末４に送信する（Ｓ２３０）。通信端末４は、その登録確認を受信する（Ｓ１３０：ＹＥＳ）。
【０１０６】
次に、図６は、ナビゲーション装置２の制御部１０が実行する要請処理の流れを表すフローチャートである。この要請処理は、サーバ３からの駐車場の情報の提供及び駐車の許可を受けるための処理であり、使用者（例えば車両の運転者）により入力部１６を介して所定の指令が入力されると開始される。
【０１０７】
まず、Ｓ３１０にて、使用者の入力に基づき、目的地を設定する。尚、目的とする場所の住所を設定してもよいし、施設名を設定してもよい。また、区域や番地といったようなエリアを設定する構成でもよい。
【０１０８】
次に、Ｓ３２０に進み、使用者の入力に基づき、Ｓ３１０で設定した目的地の情報とともに駐車許可を求める旨の情報（以下、駐車許可要請とも記載する）をサーバ３に送信する。尚、使用者は、入力部１６を介して、駐車開始予定時刻、駐車期間、駐車目的、駐車料金、車種、車両ナンバー、及び駐車終了後の目的地等の情報を入力することができ、その入力された情報は、駐車許可要請とともにサーバ３に送信される。使用者がこれらの情報を入力することで、希望により合致した駐車場が見つかるようになり、また、駐車目的によっては優先的に駐車できる場合がある、というメリットがある。
【０１０９】
例えば、本実施形態では、各車両のナビゲーション装置２からそれぞれ駐車許可要請がサーバ３に送信され、複数の駐車許可要請の何れにも合致する駐車場の情報がある場合、サーバ３は、その情報の送信先を、駐車許可要請とともに受信する前述のような各種情報及びデータベース３２の優先情報に基づき決定する。
【０１１０】
またここで、駐車開始予定時刻について、本実施形態では、ナビゲーション装置２の制御部１０は、地図データ記憶部１８の地図データに基づき、位置検出部１２により検出される車両の現在位置から目的地までの道のりを算出するとともに、車両がその道のりを進む時間を、車両が車速検出部１４により検出される車速で進むことを前提として算出することで、車両が目的地に到着する予定時刻（つまり、駐車開始予定時刻）を算出する。そして、その算出された駐車開始予定時刻は、サーバ３に送信される。
【０１１１】
次に、Ｓ３３０に進み、後述する図７のＳ５３０でサーバ３から送信される駐車場の候補の情報を受信したか否かを判定し、受信したと判定すると（Ｓ３３０：ＹＥＳ）、Ｓ３４０へ移行する。尚、受信していないと判定すると（Ｓ３３０：ＮＯ）、再びＳ３３０の処理を実行する。
【０１１２】
Ｓ３４０では、受信した駐車場の候補から、使用者の入力に基づいて所定の駐車場を選択し、その選択した駐車場の情報をサーバ３に送信する。尚、駐車場の候補の情報は、表示装置２２に表示されるようになっており、使用者は、入力部１６を介して、その表示された駐車場の候補から希望の駐車場を選択することができるようになっている。
【０１１３】
次に、Ｓ３５０に進み、Ｓ３４０で選択した駐車場について駐車が許可されたか否かを判定する。具体的に、サーバ３から、許可の情報或いは不許可の情報が送信されるようになっており（後述するＳ６００或いはＳ６７０）、許可の情報を受信した場合には許可されたと判定し、不許可の情報を受信した場合には許可されなかった（不許可）と判定する。
【０１１４】
Ｓ３５０で許可されなかったと判定した場合には（Ｓ３５０：ＮＯ）、Ｓ４２０へ移行し、不許可の情報を表示装置２２に表示して使用者に報知する。そして、Ｓ３１０へ戻る。尚、このＳ３１０において、目的地の変更がない（使用者が目的地を変更しない）場合、前回のＳ３１０における設定が維持される。
【０１１５】
一方、Ｓ３５０で許可されたと判定した場合には（Ｓ３５０：ＹＥＳ）、Ｓ３６０へ移行し、許可の情報を表示装置２２に表示して使用者に報知するとともに、その許可された駐車場への経路案内を実行する。
【０１１６】
次に、Ｓ３７０に進み、駐車が開始されたか否かを判定する。具体的に、位置検出部１２により検出される車両の位置が、駐車が許可された駐車場の位置と一致し、かつ、車速検出部１４により検出される車速が０となった場合に、駐車が開始されたと判定する。尚、駐車が開始されていないと判定すれば（Ｓ３７０：ＮＯ）、再びＳ３７０の処理を実行する。
【０１１７】
一方、駐車が開始されたと判定すると（Ｓ３７０：ＹＥＳ）、Ｓ３８０へ移行し、駐車が開始されたことを表す駐車開始情報をサーバ３に送信する。そして、次に、Ｓ３９０へ進む。尚、駐車が開始されると、その後、車両のイグニションスイッチがオフされてナビゲーション装置２の電源もオフされることが考えられる。例えば、Ｓ３８０の処理の後、ナビゲーション装置２の電源がオフされることが考えられる。一方、この要請処理の経過はメモリ部２０に保持されるようになっており、Ｓ３８０の後電源がオフされても、その後ナビゲーション装置２の電源がオンされると、Ｓ３９０から処理が再開される。
【０１１８】
Ｓ３９０では、駐車が終了したか否かを判定する。具体的に、車速検出部１４により検出される車速が０より大きくなった場合に、車両が動きだした、つまり駐車が終了したと判定する。尚、駐車が終了していないと判定すると（Ｓ３９０：ＮＯ）、再びＳ３９０の処理を実行する。
【０１１９】
一方、駐車が終了したと判定すると（Ｓ３９０：ＹＥＳ）、Ｓ４００へ移行し、駐車が終了した旨の駐車終了情報をサーバ３に送信する。次に、Ｓ４１０へ移行し、後述するＳ６６０でサーバ３から送信される課金情報を表示装置２２に表示するとともに、その課金情報を、ＥＴＣ（Ｅｌｅｃｔｏｒｏｎｉｃ  Ｔｏｌｌ  Ｃｏｌｌｅｃｔｉｏｎ）システムにて課金されるように、そのＥＴＣシステムにおける道路上の図示しない通信装置に送信する。
【０１２０】
次に、図７は、サーバ３の管理用コンピュータ３０が実行する貸与管理処理の流れを表すフローチャートである。この貸与管理処理は、ナビゲーション装置２に対し、貸与可能な駐車場の情報を提供するとともに、その駐車場の貸与を管理するための処理であり、定期的に実行される。
【０１２１】
まず、Ｓ５１０にて、駐車許可要請が有るか否かを判定する。具体的に、前述のＳ３２０でナビゲーション装置２から送信される駐車許可要請を受信したか否かを判定する。駐車許可要請を受信していないと判定すると（Ｓ５１０：ＮＯ）、そのまま当該処理を終了する。
【０１２２】
一方、駐車許可要請を受信したと判定すると（Ｓ５１０：：ＹＥＳ）、Ｓ５２０へ移行し、その駐車許可要請に合致する（つまり、駐車許可要請とともに送信される目的地、駐車料金といった前述した各種情報に合致する）駐車場を、データベース３２から検索する。
【０１２３】
次に、Ｓ５３０に進み、Ｓ５２０で検索して取得した駐車場の情報を、ナビゲーション装置２に送信する。
そして、Ｓ５４０に進み、Ｓ５３０で送信した駐車場から所定の駐車場が選択されたか否かを判定する。尚、前述したように、Ｓ３４０でナビゲーション装置２において駐車場が選択され、その選択された駐車場の情報がサーバ３に送信される。
【０１２４】
Ｓ５４０で所定の駐車場が選択されていないと判定すると（Ｓ５４０：ＮＯ）、再びこのＳ５４０の処理を実行し、所定の駐車場が選択されたと判定すると（Ｓ５４０：ＹＥＳ）、Ｓ５５０へ移行する。
【０１２５】
Ｓ５５０では、その選択されたと判定した駐車場ついての許可情報或いは利用状況の項目（データベース３２：図２参照）を参照する。
そして、Ｓ５６０に進み、その判断対象の駐車場についての利用状況が、「借用可」であるか否かを判定する。「借用可」でないと判定すると（Ｓ５６０：ＮＯ）、「借用中」或いは「借用不可」であると判断し、Ｓ６７０へ移行する。Ｓ６７０では、駐車を許可しない旨の情報（不許可情報）をナビゲーション装置２に送信し、その後、Ｓ５４０へ戻る。
【０１２６】
一方、「借用可」であると判定すると（Ｓ５６０：ＹＥＳ）、Ｓ５７０へ移行し、許可情報の項目に、判断対象の車両の情報が登録されているか否か、つまり、判断対象の車両が予め駐車を許可されているものであるか否かを判定する。
【０１２７】
Ｓ５７０で駐車が許可されていると、Ｓ６００へ移行する。Ｓ６００では、駐車を許可する旨の情報（許可情報）をナビゲーション装置２に送信する。
一方、Ｓ５７０で駐車が許可されていないと判定すると（Ｓ５７０：ＮＯ）、Ｓ５８０へ移行し、判断対象の駐車場の貸与者の通信端末４に、駐車許可の確認を求める駐車許可確認情報を送信する。駐車許可確認情報には、具体的に、駐車場ＩＤ、位置、駐車開始予定時刻、駐車期間、駐車目的、対象車両の車種、及び車両ナンバー等の情報が含まれている。
【０１２８】
その後、Ｓ５９０へ移行し、駐車を許可するか否かを、駐車許可確認情報に対する通信端末４からの応答に基づき判定する。具体的に、通信端末４から、駐車を許可する応答を受信すると駐車を許可すると判定し、駐車を許可しない応答を受信すると駐車を許可しないと判定する。また、所定時間応答が受信できない場合も、駐車を許可しないと判定する。
【０１２９】
Ｓ５９０で駐車を許可しないと判定すると（Ｓ５９０：ＮＯ）、Ｓ６７０へ移行し、駐車を許可すると判定すると（Ｓ５９０：ＹＥＳ）、Ｓ６００へ移行する。
Ｓ６００の後、Ｓ６１０に進み、駐車が開始されたか否か、具体的に、前述のＳ３８０でナビゲーション装置２から送信される駐車開始情報を受信したか否かを判定する。受信していないと判定すると（Ｓ６１０：ＮＯ）、再びこのＳ６１０の処理を実行し、受信したと判定すると（Ｓ６１０：ＹＥＳ）、Ｓ６２０へ移行する。Ｓ６２０では、貸与対象の駐車場（Ｓ６１０で駐車が開始されたと判定した駐車場）の貸与者の通信端末４に、駐車開始情報を送信する。
【０１３０】
また、Ｓ６３０では、その貸与対象の駐車場についての利用状況の項目に、「借用中」の旨を記録するとともに、駐車料金の算出（課金）ができるように、駐車が開始された時刻（駐車開始情報を受信した時刻）をＲＡＭ或いはその他メモリに記憶する。
【０１３１】
次に、Ｓ６４０に進み、駐車が終了したか否か、具体的に、前述のＳ４００でナビゲーション装置２から送信される駐車終了情報を受信したか否かを判定する。受信していないと判定すると（Ｓ６４０：ＮＯ）、再びこのＳ６４０の処理を実行し、受信したと判定すると（Ｓ６４０：ＹＥＳ）、Ｓ６５０へ移行する。Ｓ６５０では、貸与対象の駐車場の貸与者の通信端末４に、駐車終了情報を送信する。
【０１３２】
また、Ｓ６６０で、精算処理を実行する。具体的に、駐車が終了した時刻（駐車終了情報を受信した時刻）と、Ｓ６３０で記憶した駐車が開始された時間とから駐車期間を算出するとともに、データベース３２の料金の情報に基づき、その算出した駐車期間に支払うべき駐車料金を算出する。算出した駐車料金は、課金情報としてナビゲーション装置２に送信する。そしてその後、当該処理を終了する。
【０１３３】
次に、図８は、通信端末４において実行される（具体的に、通信端末４のＣＰＵが実行する）応答処理の流れを表すフローチャートである。この処理は、前述したＳ５８０でサーバ３から送信される駐車許可確認情報に応答するための処理であり、定期的に実行される。
【０１３４】
まず、Ｓ７１０にて、駐車許可確認情報を受信したか否かを判定する。駐車許可確認情報を受信していないと判定すると（Ｓ７１０：ＮＯ）、そのまま当該処理を終了する。
一方、駐車許可確認情報を受信したと判定すると（Ｓ７１０：ＹＥＳ）、Ｓ７２０へ移行し、駐車許可確認情報（例えば車種、車両ナンバー等、前述したような情報が含まれる）を液晶表示パネル４ａに表示する。
【０１３５】
次に、Ｓ７３０に進み、使用者（貸与者）の入力に基づき、駐車を許可するか否かを判定する。使用者により不許可の情報が入力されると、駐車を許可しないと判定して（Ｓ７３０：ＮＯ）、Ｓ８００へ移行して不許可の情報を応答としてサーバ３に送信する。そしてその後、当該処理を終了する。
【０１３６】
一方、Ｓ７３０で、使用者により許可の情報が入力されると、駐車を許可すると判定して（Ｓ７３０：ＹＥＳ）、Ｓ７４０へ移行して許可の情報を応答としてサーバ３に送信する。
【０１３７】
次に、Ｓ７５０に進み、前述のＳ６２０でサーバ３から送信される駐車開始情報を受信したか否かを判定して、受信していないと判定すると再びＳ７５０の処理を実行し、受信したと判定するとＳ７６０へ移行して駐車開始情報を液晶表示パネル４ａに表示する。
【０１３８】
次に、Ｓ７８０に進み、前述のＳ６５０でサーバ３から送信される駐車終了情報を受信したか否かを判定して、受信していないと判定すると再びＳ７８０の処理を実行し、受信したと判定するとＳ７９０へ移行して駐車終了情報を液晶表示パネル４ａに表示する。
【０１３９】
ここで、図９は、駐車場の貸与動作を示すシーケンス図であり、前述の図６〜図８の処理により実現されるものである。
ナビゲーション装置２において、使用者の入力に基づき目的地が設定されるとともに（Ｓ３１０）、使用者により駐車許可要請が入力されると、駐車許可要請がサーバ３に送信される（Ｓ３２０）。
【０１４０】
サーバ３は、駐車許可要請を受信すると、その駐車許可要請に合致する駐車場をデータベース３２から検索し（Ｓ５２０）、その検索した駐車場の情報をナビゲーション装置２に送信する（Ｓ５３０）。
【０１４１】
さらに、ナビゲーション装置２は、サーバ３からの駐車場の情報のうち所定の駐車場の情報が使用者により選択されると、その選択された駐車場の情報をサーバ３に送信する（Ｓ３４０）。
【０１４２】
サーバ３は、その選択された駐車場について、駐車可能か否かを判断（確認）する（Ｓ５５０〜Ｓ５９０）。この際、例えば駐車場の貸与者の通信端末４に駐車許可確認情報を送信する（Ｓ５８０）。
【０１４３】
通信端末４では、駐車許可確認情報を受信すると、その駐車許可確認情報を液晶表示パネル４ａに表示するとともに、使用者（貸与者）の入力に基づき、駐車を許可するか否かを判断する（Ｓ７３０）。
【０１４４】
Ｓ７３０で許可しない場合には（Ｓ７３０：不許可）、不許可の情報をサーバ３に送信する。そして、サーバ３からナビゲーション装置２にその不許可の情報が送信される（Ｓ６７０）。すると、ナビゲーション装置２では、不許可の情報が表示装置２２に表示されるとともに（Ｓ４２０）、処理ステップが最初の処理（Ｓ３１０）に戻る。
【０１４５】
一方、Ｓ７３０で許可する場合には（Ｓ７３０：許可）、許可の情報をサーバ３に送信する。そして、サーバ３からナビゲーション装置２にその許可の情報が送信される（Ｓ６００）。すると、ナビゲーション装置２では、許可の情報が表示装置２２に表示されるとともに、その許可された駐車場への経路案内が実行される（Ｓ３６０）。ここで、図１０は、経路案内を実行する際の表示装置２２の表示画面の一例である。図１０は、目的地周辺の駐車場（網掛けの領域）のうち、ナビゲーション装置２の使用者に選択され、かつ駐車が許可された駐車場（この例では、図面の最も左側の駐車場）までの経路案内の例を表す。
【０１４６】
図９に戻り、ナビゲーション装置２は、駐車が開始されたことを検出すると、駐車開始情報をサーバ３に送信する（Ｓ３８０）。
サーバ３は、駐車開始情報を受信して駐車が開始されたことを確認するとともに（Ｓ６１０：：ＹＥＳ）、駐車開始情報を駐車場の貸与者の通信端末４に送信する（Ｓ６２０）。通信端末４では、その駐車開始情報が液晶表示パネル４ａに表示される（Ｓ７６０）。
【０１４７】
また、ナビゲーション装置２は、駐車が終了したことを検出すると、駐車終了情報をサーバ３に送信する（Ｓ４００）。
サーバ３は、ナビゲーション装置２から駐車終了情報を受信すると、その駐車終了情報を通信端末４に送信する（Ｓ６５０）。通信端末４では、その駐車終了情報が液晶表示パネル４ａに表示される（Ｓ７９０）。
【０１４８】
また、サーバ３は、駐車終了情報を受信した際、駐車料金を算出し、その算出した駐車料金の情報（課金情報）をナビゲーション装置２に送信する（Ｓ６６０）。
ナビゲーション装置２は、受信した課金情報を、ＥＴＣシステムの通信装置に送信する（Ｓ４１０）。
【０１４９】
このような本実施形態の駐車支援システム１によれば、車両の運転者は、駐車したい駐車場についての情報を入力すればその希望に合致した駐車場の情報が得られるため、その運転者にとって都合の良い所望の駐車場を利用できるようになる。
【０１５０】
また、貸与可能な駐車場の情報は、予めデータベース３２に登録されるため、円滑な駐車場の貸借が実現される。また、データベース３２には、駐車を許可する車両の情報や優先する車両の情報も登録できるため、そのような情報を登録しておけば、貸借がより円滑となる。つまり、所定の駐車場について予め駐車が許可された車両であれば、その車両については、その所定の駐車場にすぐ駐車できるようになる。また例えば、優先情報として、「受験，試験」、「診察，通院」の駐車目的を優先する旨を登録しておけば、そのような駐車目的の車両に優先的に駐車場の情報を提供（駐車を許可）するようにすることができ、その車両の駐車場がよりスムーズに確保され、しかも公益的にも好ましい。
【０１５１】
さらに、駐車場の貸与者は、通信端末４を介して貸与可能な駐車場の情報をサーバ３に送信するだけで、駐車場を貸与できるようになる。つまり、簡単に登録できるため、登録の増加が期待できる。そして、登録が増加すれば、運転者の利便にも資することとなり、駐車場の利用も促進されることとなる。
【０１５２】
また、サーバ３では、車両の運転者により選択された所定の駐車場について、駐車の可否（駐車の許可或いは不許可）を確認するようになっているため、例えば運転者は、駐車場に到着したにもかかわらずその駐車場に既に他の車両が駐車されていて自分の車両を駐車することができずに困ってしまう、というような不都合が生じることを防止できる。
【０１５３】
また、駐車場の貸与者は、通信端末４を介して、駐車の要請（希望）があった車両に対し、駐車を許可したり或いは許可しなかったりすることができるため、貸与者の要望にも合致した貸借を実現することができる。さらに、駐車が開始されたことや駐車が終了したことが、駐車場の貸与者の通信端末４に表示されるため、貸与者は、駐車場の利用状況を把握することができ安心である。
【０１５４】
また、ナビゲーション装置２は、駐車が許可された駐車場まで経路案内を実行するため、運転者は迷う心配がなく安心することができる。さらに、ナビゲーション装置２は、現在位置から目的地に到着するまでの時間、つまり駐車開始予定時刻を算出することができ、その算出した時刻の情報を駐車の要請時にサーバ３に送信する（Ｓ３２０）ため、運転者がわざわざ駐車開始予定時刻を入力しなくてもよくなり、便利である。
【０１５５】
また、駐車料金は、ＥＴＣシステムを利用して精算することができるため、運転者にとって便利である。
尚、本実施形態において、Ｓ１２０の処理が貸与情報送信手段に相当し、Ｓ３２０の処理が駐車要請情報送信手段に相当し、Ｓ２２０の処理が登録手段に相当し、Ｓ５３０の処理が合致情報送信手段に相当し、Ｓ３４０の処理及び表示装置２２が報知手段に相当し、Ｓ３４０の処理及び入力部１６が選択手段に相当し、Ｓ３４０の処理は希望情報送信手段にも相当し、Ｓ５５０〜Ｓ５９０の処理が駐車可否確認手段に相当し、位置検出部１２が位置検出手段に相当し、車速検出部１４が車速検出手段に相当し、Ｓ３７０〜Ｓ４００の処理が駐車状態検出手段に相当し、Ｓ７２０の処理及び液晶表示パネル４ａが確認情報報知手段に相当し、Ｓ７３０，Ｓ７４０及びＳ８００の処理が駐車許可応答手段に相当し、位置検出部１２，車速検出部１４及び制御部１０が到着予定時刻算出手段に相当し、Ｓ３６０の処理が経路案内手段に相当している。
〈変形例〉
次に、本実施形態の変形例について説明する。
【０１５６】
本変形例のサーバ３及び通信端末４は、図１１のシーケンス図に示すような機能も備えている。図１１に示す機能は、不正駐車の取り締まりを可能とし、適正な駐車場の貸借を実現することを趣旨とするものである。以下、説明する。
【０１５７】
仮に、駐車場の貸与者（通信端末４の使用者）が、例えば自らが貸与する駐車場にて、不正駐車（駐車が許可されていない）と疑われる車両を発見したとする。使用者は、通信端末４の入力部４ｂを介して、その車両の情報及びその車両が駐車されている駐車場の情報（例えば駐車場ＩＤ等）を入力して、サーバ３に通報することができる。
【０１５８】
通信端末４は、不正駐車車両の情報をサーバ３に通報するための処理を定期的に実行しており、まず、Ｓ９１０にて、使用者の入力に基づき、車両（不正と疑われる車両）の情報、駐車場の情報、及び通報指令が入力されたか否かを判定する。尚、入力がないと判定した場合には処理を終了する。一方、入力されたと判定すると（Ｓ９１０：入力有）、Ｓ９２０へ移行し、その入力された車両の情報及び駐車場の情報をサーバ３に送信して通報する。
【０１５９】
サーバ３は、通信端末４からの通報に応答するための処理を定期的に実行しており、まず、Ｓ９４０で、通信端末４から通報が有るか否かを判定する。尚、通報がないと判定した場合には処理を終了する。一方、通報があると判定すると（Ｓ９４０：通報有）、Ｓ９５０へ移行し、通報として送信された車両及び駐車場の情報に基づき、その車両がその駐車場への駐車が許可されている車両か否かを判定する。尚、この許可は、前述のＳ５９０の許可である。
【０１６０】
Ｓ９５０にて許可されている、つまり不正駐車ではないと判定すると（Ｓ９５０：正規）、不正でない旨の情報を通報元の通信端末４に送信する。不正でない旨の情報を受信した通報元の通信端末４は、その情報を液晶表示パネル４ａに表示する（Ｓ９３０）。
【０１６１】
一方、Ｓ９５０で許可されていない、つまり不正と判定すると（Ｓ９５０：不正）、不正の旨の情報を通信端末４に送信する（Ｓ９６０）。尚、その不正の旨の情報は、通報元の通信端末４の他、予め設定された送信先の通信端末４に送信される。そしてその後、処理を終了する。
【０１６２】
ここで、その不正の旨の情報を受信する通信端末４が通報元のものであれば、その通信端末４はその情報を液晶表示パネル４ａに表示する（Ｓ９３０）。そして、その不正の旨の情報を受信する通信端末４が通報元以外のものであれば、その通信端末４はＳ９７０、Ｓ９８０の処理を実行する。
【０１６３】
Ｓ９７０、Ｓ９８０で示す処理は定期的に実行されるようになっており、まず、Ｓ９７０にて、不正駐車車両の情報をサーバ３から受信したか否かを判定する。尚、受信していないと判定すると、処理を終了する。一方、受信したと判定すると（Ｓ９７０：情報有）、その不正駐車車両の情報を液晶表示パネル４ａに表示して、使用者に報知する（Ｓ９８０）。そしてその後、処理を終了する。
【０１６４】
このため、通信端末４が例えば不正駐車を取り締まる取締まり業者に所持されるようにして、不正駐車の取り締まりが実施されるようにすることができる。この点、本変形例のように、通信端末４が取締まり業者にも使用される形態が考えられる。
【０１６５】
このように、本変形例によれば、不正駐車を簡単かつ有効に取り締まることができるため、駐車場の有効利用が阻害されないようにすることができる。つまり、駐車場の貸借をより適切に実現し、駐車場の有効利用をより確実に図ることができる。
【０１６６】
尚、本変形例において、Ｓ９５０の処理が不正駐車判定手段に相当し、Ｓ９６０の処理が不正報知手段に相当している。
以上、本発明の一実施形態について説明したが、本発明は上記実施形態に限定されるものではなく、本発明の技術範囲内において種々の形態をとることができる。
【０１６７】
例えば上記実施形態において、駐車料金は予め登録した運転者等の口座から引き落とすようにしてもよい。また、例えば、駐車する毎に駐車料金が発生する形態とせず、定額制としてもよい。具体的に、毎月一定の額を納めることで駐車し放題となり、その一定の額以外の駐車料金が発生しないこととしてもよい。
【０１６８】
また、上記実施形態において、通信端末４として、ＰＤＡ（携帯情報端末）、ＰＨＳ（簡易携帯電話）、ノートパソコン等を用いてもよい。また、デスクトップ型パソコンでもよい。
【０１６９】
また、ナビゲーション装置２及び通信端末４は、複数あってもよい。
また、上記変形例において、サーバ３が、その周囲に不正の旨を報知するようにしてもよい。また、不正の旨の情報の送信先は、通信可能な通信機器であれば通信端末４以外のものでもよい。これによれば、汎用性が広がり、より有効に不正駐車の取り締まりを実施できるようになる。
【図面の簡単な説明】
【０１７０】
【図１】駐車支援システムの概略構成図である。
【図２】データベースの概要説明図である。
【図３】通信端末のＣＰＵが実行する登録申請処理の流れを表すフローチャートである。
【図４】サーバのＣＰＵが実行する登録処理の流れを表すフローチャートである。
【図５】本実施形態の駐車支援システムにおける駐車場の登録動作を示すシーケンス図である。
【図６】ナビゲーション装置の制御部が実行する要請処理の流れを表すフローチャートである。
【図７】サーバの管理用コンピュータが実行する貸与管理処理の流れを表すフローチャートである。
【図８】通信端末のＣＰＵが実行する応答処理の流れを表すフローチャートである。
【図９】本実施形態の駐車支援システムにおける駐車場の貸与動作を示すシーケンス図である。
【図１０】ナビゲーション装置の表示装置の表示画面を表す図である。
【図１１】変形例の駐車支援システムの動作を示すシーケンス図である。
【符号の説明】
【０１７１】
１…駐車支援システム、２…ナビゲーション装置、３…サーバ、４…通信端末、４ａ…液晶表示パネル、４ｂ…入力部、５…通信回線網、１０…制御部、１２…位置検出部、１２ａ…ＧＰＳ受信機、１２ｂ…ジャイロスコープ、１２ｃ…距離センサ、１２ｄ…地磁気センサ、１４…車速検出部、１６…入力部、１８…地図データ記憶部、２０…メモリ部、２２…表示装置、２４…音声出力装置、２６…通信部、３０…管理用コンピュータ、３２…データベース。
【図１】
2008123044.tif 000003
【図２】
2008123044.tif 000004
【図３】
2008123044.tif 000005
【図４】
2008123044.tif 000006
【図５】
2008123044.tif 000007
【図６】
2008123044.tif 000008
【図７】
2008123044.tif 000009
【図８】
2008123044.tif 000010
【図９】
2008123044.tif 000011
【図１１】
2008123044.tif 000012
【図１０】
2008123044.tif 000013